(57)【要約】【課題】船舶の係留時に使用するストッパーロープであって、係留索との間に比較的高い摩擦力を有することで滑りを抑止することが可能であり、また、アイ加工の柔軟性を有するストッパーロープの提供。【解決手段】ストッパーロープ１を、扁平形状のブレードロープによって構成し、ストランド間を拡大した第１拡大穴部１ａにストッパーロープの端部１１を挿通し、当該第１拡大穴部１ａ挿通後となる位置に、第２拡大穴部１ｂを形成し、ストッパーロープ１の端部１２を挿通することでアイを形成する。【選択図】図３
0003192717.tif 000002
【実用新案登録請求の範囲】
【請求項１】
扁平形状のブレードロープによって構成されることを特徴とするストッパーロープ。
【請求項２】
前記ブレードロープが、８打ち、１２打ち、１６打ち、２４打ち、３２打ちの何れかであることを特徴とする請求項１に記載のストッパーロープ。
【請求項３】
ポリアリレート、アラミド、超高分子量ポリエチレン、ポリエステル、ナイロン、ポリエチレン、ポリプロピレン、ポリビニルアルコールなどの化学繊維の紡績糸またはフィラメント糸若しくはフィラメント加工糸によって前記ブレードロープが形成されていることを特徴とする請求項１又は請求項２に記載のストッパーロープ。
【請求項４】
ストランド間を拡大した第１拡大穴部に前記ストッパーロープの一端が挿通され、当該一端側であって前記挿通後の位置にストランド間を拡大した第２拡大穴部が形成され、当該第２拡大穴部に前記ストッパーロープの他端が挿通されることにより、アイが形成されたことを特徴とする請求項１乃至請求項３の何れか１つに記載のストッパーロープ。
【請求項５】
ロープピッチが、無荷重時における前記扁平形状ロープの断面の長手方向の長さ以上となるように構成されていることを特徴とする請求項１乃至請求項４の何れか１つに記載のストッパーロープ。
【請求項６】
前記ストッパーロープの一端又は両端に、基本態様が円錐状の拡大穴形成挿通具が備えられていることを特徴とする請求項１乃至請求項５の何れか１つに記載のストッパーロープ。
【考案の詳細な説明】
【技術分野】
【０００１】
本考案は、船舶を係留する際に使用される係留索をクリートやボラードに巻きつけるために、キャプスタンによる係留索の巻き取り後の一時的な張力保持に使用されるストッパーロープに関する。
【背景技術】
【０００２】
船舶の中にはウインチを装備していないタイプのものがあり、このような船舶の係留は、クリートやボラードに係留索を巻き付けるようにしている。
当該巻き付け作業は、ワーピングドラムやキャプスタンによる係留索の巻き取りによって係留索に所定の張力を与えた後に、係留索をクリートやボラードに巻きつけることによって行われる。この際の、係留索をワーピングドラムやキャプスタンからクリートやボラードに巻き替える作業において、係留索に付与した張力を保持したまま巻き替えを行う必要があり、その際の一時的な張力保持のために、ストッパーロープが使用されている。
このようなストッパーロープに関する従来技術が特許文献１等によって開示されている。
【先行技術文献】
【特許文献】
【０００３】
【特許文献１】実用新案登録第３１３００００号公報
【考案の概要】
【考案が解決しようとする課題】
【０００４】
特許文献１で開示されるストッパーロープは、内部に芯部を備えてベルトスリング状に形成され、且つ、アイが予め縫製によって形成されているものである。これによれば、ストッパーロープが扁平形状であることにより、係留索との間の摩擦力が高くなり、係留索とストッパーロープとの間の滑りが抑止されるといった効果が得られるものである。
しかし、内部に芯部を備えてベルトスリング状に形成され、且つ、アイが予め縫製によって形成されているものであるため、アイ部分の形状に柔軟性が無く、ストッパーロープを接続する金具の形状等によっては、金具にアイをかけることが困難となる場合がある。また、事後的にアイを形成することができないものであるため、汎用性・柔軟性に欠ける面があるものであった（例えば、金具が欠損している場合や不具合がある場合に、リングに対して直接ストッパーロープのアイをかけることができない）。
【０００５】
本考案は、上記の点に鑑み、船舶の係留時に使用するストッパーロープであって、係留索との間に比較的高い摩擦力を有することで滑りを抑止することが可能であり、また、アイ加工の柔軟性を有するストッパーロープを提供することを目的とする。
【課題を解決するための手段】
【０００６】
（構成１）
扁平形状のブレードロープによって構成されることを特徴とするストッパーロープ。
【０００７】
（構成２）
前記ブレードロープが、８打ち、１２打ち、１６打ち、２４打ち、３２打ちの何れかであることを特徴とする構成１に記載のストッパーロープ。
【０００８】
（構成３）
ポリアリレート、アラミド、超高分子量ポリエチレン、ポリエステル、ナイロン、ポリエチレン、ポリプロピレン、ポリビニルアルコールなどの化学繊維の紡績糸またはフィラメント糸若しくはフィラメント加工糸によって前記ブレードロープが形成されていることを特徴とする構成１又は構成２に記載のストッパーロープ。
【０００９】
（構成４）
ストランド間を拡大した第１拡大穴部に前記ストッパーロープの一端が挿通され、当該一端側であって前記挿通後の位置にストランド間を拡大した第２拡大穴部が形成され、当該第２拡大穴部に前記ストッパーロープの他端が挿通されることにより、アイが形成されたことを特徴とする構成１乃至構成３の何れか１つに記載のストッパーロープ。
【００１０】
（構成５）
ロープピッチが、無荷重時における前記扁平形状ロープの断面の長手方向の長さ以上となるように構成されていることを特徴とする構成１乃至構成４の何れか１つに記載のストッパーロープ。
【００１１】
（構成６）
前記ストッパーロープの一端又は両端に、基本態様が円錐状の拡大穴形成挿通具が備えられていることを特徴とする構成１乃至構成５の何れか１つに記載のストッパーロープ。
【考案の効果】
【００１２】
本考案のストッパーロープによれば、扁平形状のブレードロープによって構成されるため、係留索との間に比較的高い摩擦力を有することで滑りを抑止することが可能である。また、ブレードロープであるため、ストランド間を拡大した穴にロープ端部を通すことによってアイを加工することが可能であり、アイ加工の柔軟性を有するストッパーロープを提供することができる。
【図面の簡単な説明】
【００１３】
【図１】実施形態のストッパーロープを示す図
【図２】拡大穴形成挿通具を示す図
【図３】アイ加工についての説明図
【図４】係留索をボラードに巻き付ける作業についての説明図
【図５】係留索に対するストッパーロープの巻き付け例を示す図
【図６】他のストッパーロープを示す図
【考案を実施するための形態】
【００１４】
以下、本考案の実施態様について、図面を参照しながら具体的に説明する。なお、以下の実施態様は、本考案を具体化する際の一形態であって、本考案をその範囲内に限定するものではない。
【００１５】
図１は、本実施形態のストッパーロープを示す図である。同図に示されるごとく、本実施形態のストッパーロープ１は、２×１６構造のブレードロープによって構成される。本実施形態のストッパーロープ１は、ポリアリレート紡績糸によって形成されており、ブレードロープとして構成されることにより、扁平形状に形成される。なお、本明細書において「扁平形状」とは、断面形状において円ではない（平たい形状である）ことを意味し、図１（ｂ）に概略図を示したように、ｘとｙに大小関係がある状態をいう。１×８、１×１２、１×１６、１×２４、１×３２、２×８、２×１２、２×１６、２×２４、２×３２打ちなど（また、３×８や４×８等、ｎ×８（or１２、１６、２４、３２）であってよい。）のブレードロープは、内部を空洞状に形成することができ、内部空洞に何も無い状態であれば、空洞が潰れて扁平形状になるものである。
【００１６】
ストッパーロープ１のピッチ（図１（ａ）のＬ）は、ストッパーロープ１に対して荷重がかかっていない状態におけるロープの断面の長手方向の長さ（図１（ｂ）のｘ）以上となるように構成することが好ましい。このように構成することにより、以下で説明するアイ加工の作業性が向上するものである。
【００１７】
図２は、拡大穴形成挿通具を示す図である。拡大穴形成挿通具２は、以下で説明するアイ加工時において、ストッパーロープ１の端部に取り付けて使用する治具である。
図２に示されるように、拡大穴形成挿通具２は、基本態様が円錐状で内部が中空状に構成され、側面にスリットが形成されていることにより、円錐下端面の開口部を弾性的に拡げることができる。
【００１８】
次に、図３を参照しつつ、ストッパーロープ１にアイを形成するアイ加工について説明する。なお、図３では、説明のためにロープ長が短い物にて図示しているが、実際に使用されるストッパーロープはより長いものである（図３（ｆ）において、アイ１５と残りのロープ部分の構成比率が同図のものとなることを示しているものではない）。
【００１９】
先ず、ストッパーロープ１の端部に、拡大穴形成挿通具２を取り付ける。前述のごとく、円錐下端面の開口部を弾性的に拡げることができるため、当該部分にストッパーロープ１の端部を挿入し、前記開口部の弾性力によって係止するものである。
【００２０】
図３（ｂ）に示されるように、ストッパーロープ１の端部１１に取り付けられた拡大穴形成挿通具２を用いて、ストランド間を拡大して第１拡大穴部１ａを形成し、ストッパーロープ１の一端（端部１１）を挿通する。本実施形態においては、アイをロープの中央付近に形成するものを例としているため、第１拡大穴部１ａの形成位置も、ストッパーロープ１の中央付近である。
【００２１】
第１拡大穴部１ａにストッパーロープ１の一端（端部１１）を挿通後、形成するアイが所望の大きさとなるところまでストッパーロープ１の一端を第１拡大穴部１ａから引き出す（図３（ｃ））。
【００２２】
次に、拡大穴形成挿通具２をストッパーロープ１の端部１１から端部１２に付け替え、第１拡大穴部１ａから引き出したロープの、第１拡大穴部１ａ挿通後となる位置に、拡大穴形成挿通具２を用いて第２拡大穴部１ｂを形成し、ストッパーロープ１の端部１２を挿通する（図３（ｄ））。
【００２３】
第２拡大穴部１ｂに挿通したストッパーロープ１の端部１２を、第２拡大穴部１ｂから引き出すことで、図３（ｆ）に示されるように、ストッパーロープ１にアイ１５が形成される。
【００２４】
図３（ｅ）に示した第１拡大穴部１ａ及び第２拡大穴部１ｂ付近の拡大図からも理解されるように、端部１１側と端部１２側のそれぞれに穴（ストランド間を拡大したもの）を形成し、これらを相互に通す構成とすることにより、引っ張りに対するズレ等が抑止されるものである。
このように、非常に簡易な作業にて迅速にアイ１５を形成することができ、また、アイの大きさ等も自由に形成することができものである（本実施形態のストッパーロープ１が扁平形状のブレードロープによって構成されていることにより実現されるものである）。
【００２５】
図４を参照しつつ、本実施形態のストッパーロープ１を用いて係留索をボラードに巻きつける作業（船舶の係留）について説明する。
【００２６】
本実施形態のストッパーロープ１は、キャプスタン２２による係留索２０の巻き取り後に、係留索２０の張力を保持したまま、係留索２０をボラード２１に巻き付けるために使用されるものであり、図４（ａ）に示されるように、係留索２０を、２つのボラード２１を介してキャプスタン２２によって巻き取った状態において使用される。
なお、係留索２０を、ボラード２１を介さずに直接キャプスタン２２で巻きとり、その後に、ボラード２１に巻きつけるものでもよい。（何れにしても、ストッパーロープ１は、キャプスタン２２による係留索２０の巻き取り後に、係留索２０の張力を保持したまま、係留索２０をボラード２１に巻き付けるために使用される。）
【００２７】
ストッパーロープ１は、船舶上に設置されているリング２４にシャックル金具２３を介して取り付けられる。当該取り付けは、シャックル金具２３に対して上記説明で形成したアイ１５をかけることで行われる。
【００２８】
図４（ｂ）に示されるように、アイ１５が係止されたストッパーロープ１を、係留索２０に巻き付け、その端部を作業員が保持することで、係留索２０の張力を保持する（キャプスタン２２から係留索２０を外しても係留索２０が緩まないようにする）。本実施形態のストッパーロープ１は、扁平形状に形成されていることにより、係留索２０との密接面積が増加し、より確実に係留索２０の張力を保持することができるものである（摩擦力が増加し、ストッパーロープ１と係留索２０との間の滑りが抑止される）。
なお、ストッパーロープ１の係留索２０への巻き付けは、例えば図５（ａ）に示したようなちどり掛けや、図５（ｂ）に示した一方巻きなど、各種の方法で行うことができる。（本実施形態では、アイ１５をロープの中央付近に形成し、従ってアイ部分から２本のロープが延びている状態であるため、図５（ａ）のようなちどり掛けとすることができ、より係留索２０との間の密接が高まり、滑りが抑止されるものである。）
【００２９】
ストッパーロープ１によって係留索２０を保持した状態において、係留索２０を、キャプスタン２２からボラード２１に巻き替える（図４（ｃ））。係留索２０のボラード２１への巻き付け終了後に、ストッパーロープ１を解放することで作業が終了する。
【００３０】
以上のごとく、本実施形態のストッパーロープ１によれば、扁平形状に形成されていることにより、係留索２０との密接面積が増加し、より確実に係留索２０の張力を保持することができる。また、本実施形態のストッパーロープ１は紡績糸によって形成されており、紡績糸特有の毛羽によってグリップ性が向上され、より確実に係留索２０の張力を保持することができるものである。
【００３１】
また、前述したごとく、ストランド間を広げた穴にロープ端部を挿通することによって容易に（拡大穴形成挿通具２を用いることでより容易に）、作業員自身によって所望のアイを現場で形成することができるため、非常に有用である。
例えば、シャックル金具２３を破損または紛失してしまった場合、予めアイが形成されているストッパーの場合、リング２４にアイをかけることができない（若しくは容易でない）が、本実施形態のストッパーロープ１によれば、アイを現場で容易に形成することができるため、このような場合にもリング２４にアイを容易にかけることができる（リング２４に挿通させたアイ１５を形成することができる）。
【００３２】
また、本実施形態のストッパーロープ１は、ストッパーロープ１のピッチ（図１（ａ）のＬ）を、ストッパーロープ１に対して荷重がかかっていない状態におけるロープの断面の長手方向の長さ（図１（ｂ）のｘ）以上となるように構成しているため、ストランド間を容易に拡大することができ、アイ加工をより容易に行うことができるものである。
【００３３】
なお、本実施形態においては、２×１６構造のブレードロープを例として説明したが、前述したごとく、１×８、１×１２、１×１６、１×２４、１×３２、２×８、２×１２、２×１６、２×２４、２×３２打ちなど、扁平形状とすることが可能な各種の構造を用いることができる（図６に２×２４構造（図６（ａ））、２×３２構造（図６（ｂ））を例示している）。
また、本実施形態においては、ポリアリレート紡績糸によって形成されるものを例としているが、本発明をこれに限るものではなく、ポリアリレート、アラミド、超高分子量ポリエチレン、ポリエステル、ナイロン、ポリエチレン、ポリプロピレン、ポリビニルアルコールなどの化学繊維の紡績糸またはフィラメント糸若しくはフィラメント加工糸を用いることができる。
【符号の説明】
【００３４】
１．．．ストッパーロープ
１ａ．．．第１拡大穴部
１ｂ．．．第２拡大穴部
１５．．．アイ
２．．．拡大穴形成挿通具
２０．．．係留索
２１．．．ボラード
２２．．．キャプスタン
２３．．．シャックル金具
２４．．．リング
【図１】
0003192717.tif 000003
【図２】
0003192717.tif 000004
【図３】
0003192717.tif 000005
【図４】
0003192717.tif 000006
【図５】
0003192717.tif 000007
【図６】
0003192717.tif 000008